(57)【特許請求の範囲】
【請求項１】
室内の床面に設置される長方形状の底板、この底板の四隅に固定された４個の支柱、この４個の支柱の上面に固定された長方形状の天井パネル、この天井パネル、前記４個の支柱および底板を補強する補強部材とからなる室内用耐震シェルター本体と、この室内用耐震シェルター本体の底板と前記室内の床面との間に設けられた下板、この下板上に配置された厚さ寸法の５倍以上の直径寸法の複数個の透孔および外周部に開口する複数個のクザビ挿入凹部が形成された中板、この中板の複数個の透孔内にそれぞれ収納された、該中板の厚さ寸法よりも大きな直径寸法に形成された、前記室内用耐震シェルター本体の底板と接する複数個の鋼球、前記中板の複数個のクサビ挿入凹部にそれぞれ挿入され、前記室内用耐震シェルター本体の底面と前記下板と接触し、小さな揺れ動きでは該室内用耐震シェルター本体の揺れ動きを阻止し、大きな揺れ動き時には前記複数個の鋼球の作動を可能とする複数個のクサビとからなる揺れ止め付免震装置とからなることを特徴とする室内用耐震シェルター。
【請求項２】
揺れ止め付免震装置の下板および中板は室内用耐震シェルター本体の底板と同じ大きさに形成されたものが使用され、かつ室内用耐震シェルター本体の四隅には揺れ動いた時に元の位置へ戻す復元用スプリングが設けられていることを特徴とする請求項１記載の室内用耐震シェルター。
【発明の詳細な説明】
【技術分野】
【０００１】
本発明は寝室等の室内に設置され、地震時に居住者の安全を確保するための室内用耐震シェルターに関する。
【背景技術】
【０００２】
従来、室内の床面に設置される長方形状の底板、この底板の四隅に形成された４個の支柱、この４個の支柱の上面に固定された長方形状の天井パネル、この天井パネルと４個の支柱および、４個の支柱と底板との接続部を補強する筋交い等の補強部材とからなる室内用耐震シェルター本体と、この室内用耐震シェルター本体の底板と室内の床面との間に介装されたスベリ材を用いた免震装置とで室内用耐震シェルターを構成するものが、本出願人により考えられている。
【０００３】
しかしながら、このような構造の室内用耐震シェルターは、通常の使用時の室内用耐震シェルター本体内へ入る時に、免震装置が作動して揺れ動いてしまうという欠点があった。
【先行技術文献】
【特許文献】
【０００４】
【特許文献１】特許第３７３４９７１号公報
【特許文献２】意匠登録第１４１８２９０号公報
【発明の概要】
【発明が解決しようとする課題】
【０００５】
本発明は以上のような従来の欠点に鑑み、通常時の使用では揺れ動きを感じることなく、室内用耐震シェルター本体を居住スペースやベッドとして安全で、気持ちよく使用することができ、地震で大きく揺れ動いた場合には、その揺れ動きを吸収して室内用耐震シェルター本体内に入っている人を安全に保護することができる室内用耐震シェルターを提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は室内の床面に設置される長方形状の底板、この底板の四隅に固定された４個の支柱、この４個の支柱の上面に固定された長方形状の天井パネル、この天井パネル、前記４個の支柱および底板を補強する補強部材とからなる室内用耐震シェルター本体と、この室内用耐震シェルター本体の底板と前記室内の床面との間に設けられた下板、この下板上に配置された厚さ寸法の５倍以上の直径寸法の複数個の透孔および外周部に開口する複数個のクザビ挿入凹部が形成された中板、この中板の複数個の透孔内にそれぞれ収納された、該中板の厚さ寸法よりも大きな直径寸法に形成された、前記室内用耐震シェルター本体の底板と接する複数個の鋼球、前記中板の複数個のクサビ挿入凹部にそれぞれ挿入され、前記室内用耐震シェルター本体の底面と前記下板と接触し、小さな揺れ動きでは該室内用耐震シェルター本体の揺れ動きを阻止し、大きな揺れ動き時には前記複数個の鋼球の作動を可能とする複数個のクサビとからなる揺れ止め付免震装置とで室内用耐震シェルターを構成している。
【発明の効果】
【０００８】
以上の説明から明らかなように、本発明にあっては次に列挙する効果が得られる。
（１）請求項１により、揺れ止め付免震装置の複数個のクサビ効果によって、通常時の使用時には室内用耐震シェルター本体内への出入り時に室内用耐震シェルター本体が揺れ動くのを確実に阻止することができ、地震で大きな揺れ動きが生じると、揺れ止め付免震装置の複数個のクサビは中板のクサビ挿入凹部より押し出され、クサビが作用しない状態となり、下板と室内用耐震シェルター本体の底板との間の中板に形成された複数個の透孔内の複数個の鋼球で支持された状態となり、下板の揺れ動きを鋼球で吸収して、室内用耐震シェルター本体の底板に伝わるのを阻止することができ、免震効果が得られる。
したがって、室内用耐震シェルター本体内にいれば、安全に保護される。
（２）前記（１）により、揺れ止め付免震装置は中板、複数個の鋼球、下板および複数個のクサビで構成されているので、構造が簡単で、安価に製造することができる。
したがって、低コストで製造することができる。
（３）前記（１）によって、中板の複数個のクサビ挿入凹部にクサビを差し込むだけでよいので、容易に室内用耐震シェルター本体の揺れ止めを図ることができる。
（４）請求項２も前記（１）〜（３）と同様な効果が得られるとともに、室内用耐震シェルター本体の底板と揺れ止め付免震装置の下板および中板の大きさが同じに形成されているので、設置面積を必要以上にとることなくスマートな形状、構造にすることができる。
【図面の簡単な説明】
【０００９】
【図１】本発明を実施するための第１の形態の正面図。
【図２】本発明を実施するための第１の形態の平面図。
【図３】図１の３−３線に沿う断面図。
【図４】本発明を実施するための第１の形態の室内用耐震シェルター本体の説明図。
【図５】本発明を実施するための第１の形態の揺れ止め付免震装置の説明図。
【図６】図１の６−６線に沿う断面図。
【図７】図１の７−７線に沿う断面図。
【図８】本発明を実施するための第１の形態の地震で大きく揺れ動いた状態の説明図。
【図９】本発明を実施するための第２の形態の正面図。
【図１０】本発明を実施するための第２の形態の平面図。
【図１１】図９の１１−１１線に沿う断面図。
【図１２】本発明を実施するための第３の形態の正面図。
【図１３】本発明を実施するための第３の形態の平面図。
【図１４】本発明を実施するための第３の形態の揺れ止め付免震装置の説明図。
【発明を実施するための形態】
【００１０】
以下、図面に示す本発明を実施するための形態により、本発明を詳細に説明する。
【００１１】
図１ないし図８に示す本発明を実施するための第１の形態において、１は室内２の床面３に設置され、ベッドや非常時の逃げ込み場所として使用することができる本発明の室内用耐震シェルターで、この室内用耐震シェルター１は室内２の床面３に設置される、通常時にはベッド等として使用することができる室内用耐震シェルター本体４と、この室内用耐震シェルター本体４の底面と前記床面３との間に介装される揺れ止め付免震装置５とで構成されている。
【００１２】
前記室内用耐震シェルター本体４は、例えば９００mm×２０００mmの大きさに形成された底板６と、この底板６の四隅に固定された４個の支柱７、７、７、７と、この４個の支柱７、７、７、７の上面に固定された、前記底板６と同じ大きさの天井パネル８と、この天井パネル８と前記４個の支柱７、７、７、７および、該４個の支柱７、７、７、７と前記底板６を補強する三角形状の筋交いを用いた１６個の補強部材９と、前記４個の支柱７、７、７、７の下部側に両端部が固定されるとともに、下部が前記底板６に固定された枠部材１０、１０、１０と、前記底板６を常時元の状態に位置するように室内２の壁面２ａ等に取付けられた付勢スプリング１１、１１、１１、１１とで構成されている。
【００１３】
なお、前記補強部材９は補強を図れる構造や形状であればどんな形状や構造であってもよい。
【００１４】
前記揺れ止め付免震装置５は前記室内用耐震シェルター本体４の底板６と同じ大きさに形成された下板１２と、この下板１２と重ねられるように配置された、該下板１２と同じ大きさの中板１３と、この中板１３の中央部と両側部寄りの部位に形成された、該中板１３の厚さ寸法の５倍以上の直径寸法の複数個の透孔１４、１４、１４、１４、１４と、前記中板１３の外周部に開口するように形成されたコ字状の複数個のクサビ挿入凹部１５、１５、１５、１５、１５、１５、１５、１５と、前記複数個の透孔１４、１４、１４、１４、１４内に収納された、前記中板１３の厚さ寸法の２倍以上の直径寸法の複数個の鋼球１６と、前記クサビ挿入凹部１５、１５、１５、１５、１５、１５、１５、１５に最適には先端部及び両端部に遊びを有するように挿入される、先端部が前記鋼球１６の直径寸法より薄く、後端部が該鋼球１６の直径寸法よりも厚く形成された複数個のクサビ１７、１７、１７、１７、１７、１７、１７、１７とで構成されている。
【００１５】
なお、前記下板１２と前記中板１３は固定状態に重ねたり、一体形成したものや、あるいは単に重ね合わせただけの設置でもよい。
上記構成の室内用耐震シェルター１は、通常時は室内用耐震シェルター本体４の底板６上に布団を敷設してベッドとして使用することができ、該室内用耐震シェルター本体４内への出入り時には揺れ止め付免震装置５の複数個のクサビ１７、１７、１７、１７、１７、１７、１７、１７を介して、下板１２と室内用耐震シェルター本体４の底板６とが接続された状態となっており、通常の出入りによっては室内用耐震シェルター本体４が揺れ動いたりすることなく、安全に使用できる。
【００１６】
地震で大きな揺れ動きが生じると、室内用耐震シェルター本体４の移動で複数個のクサビ１７、１７、１７、１７、１７、１７、１７、１７が中板１３の複数個のクザビ挿入凹部１５、１５、１５、１５、１５、１５、１５、１５より押し出されるため、室内用耐震シェルター本体４の底板６は中板１３の複数個の透孔１４、１４、１４、１４、１４内に収納された複数個の鋼球１６に支持された状態となるため、床面３に設置された揺れ止め付免震装置５の下板１２の揺れ動きは複数個の鋼球１６を介して室内用耐震シェルター本体４に伝達されるため、複数個の鋼球１６の移動によって、その揺れ動きが小さくなる。
また、付勢スプリング１１、１１、１１、１１によって室内用耐震シェルター本体４が元の位置に戻るように付勢されているため、揺れ動きで室内用耐震シェルター本体４が元の位置より移動してしまったりすることがない。    
【００１７】
[発明を実施するための異なる形態]
次に、図９ないし図１４に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１８】
図９ないし図１１に示す本発明を実施するための第２の形態において、前記本発明を実施するための第１の形態と主に異なる点は、中板１３に重ねる上板１８を用いた揺れ止め付免震装置５Ａを用いて、上板１８の上に室内用耐震シェルター本体４を設置した点で、このように構成した室内用耐震シェルター１Ａにしても、前記本発明を実施するための第１の形態と同様な作用効果が得られる。
【００１９】
なお、本発明を実施する形態では上板１８の四隅に付勢スプリング１１、１１、１１、１１を設置してもよい。
【００２０】
図１２ないし図１４に示す本発明を実施するための第３の形態において、前記本発明を実施するための第１の形態と主に異なる点は、４個の透孔１４、１４、１４、１４を形成した中板１３Ａを用いるとともに、後端部の中央部にひも２０を取付けるための、ひも取付孔１９を形成した複数個のクサビ１７Ａ、１７Ａ、１７Ａ、１７Ａ、１７Ａ、１７Ａ、１７Ａ、１７Ａを用いた揺れ止め付免震装置５Ｂを使用した点で、このような揺れ止め付免震装置５Ｂを使用して構成した室内用耐震シェルター１Ｂにしても、前記本発明を実施するための第１の形態と同様な作用効果が得られる。
【産業上の利用可能性】
【００２１】
本発明は室内に設置する耐震シェルターを製造する産業で利用される。
【符号の説明】
【００２２】
１、１Ａ、１Ｂ：室内用耐震シェルター、
２：室内、        ３：床面、
４：室内用耐震シェルター本体、
５、５Ａ、５Ｂ：揺れ止め付免震装置、  
６：底板、        ７：支柱、
８：天井パネル、      ９：補強部材、
１０：枠部材、      １１：付勢スプリング、
１２：下板、        １３、１３Ａ：中板、
１４：透孔、        １５：クサビ挿入凹部、
１６：鋼球、        １７、１７Ａ：クサビ、
１８：上板、                  １９：ひも取付孔、
２０：ひも。
【図１】
0005294515.tif 000002
【図２】
0005294515.tif 000003
【図３】
0005294515.tif 000004
【図４】
0005294515.tif 000005
【図５】
0005294515.tif 000006
【図６】
0005294515.tif 000007
【図７】
0005294515.tif 000008
【図８】
0005294515.tif 000009
【図９】
0005294515.tif 000010
【図１０】
0005294515.tif 000011
【図１１】
0005294515.tif 000012
【図１２】
0005294515.tif 000013
【図１３】
0005294515.tif 000014
【図１４】
0005294515.tif 000015